(57)【要約】【課題】簡単な構成で、係合部材が外れることなく所定の部材と確実に係合されることができ、さらに、容易に構成することができるジョイントリンクを提供する。【解決手段】本発明のジョイントリンク１は、チェーン２に組み込まれ、所定の部材３と係合される係合部材１０を有するものであって、係合部材１０は、ねじ部１０ａが形成されている。ねじ部１０ａが所定の部材３のねじ部３０ａと螺合されていることにより、ジョイントリンク１の係合部材１０と所定の部材３が抜けて外れることなく確実に係合され、また必要に応じて取り外すこともできる。【選択図】図１
2015059007.tif 000002
【特許請求の範囲】
【請求項１】
チェーンに組み込まれ、所定の部材と係合される係合部材を有するジョイントリンクであって、
前記係合部材は、前記所定の部材と螺合されるねじ部が形成されていることを特徴とするジョイントリンク。
【請求項２】
少なくとも一対のリンクプレートと、該リンクプレート間の両端部に配設されて前記チェーンとそれぞれ接続されるピンとを有しており、
前記係合部材は、前記リンクプレートの一方を超えるように、前記ピンを延長させることにより構成されていることを特徴とする請求項１に記載のジョイントリンク。
【請求項３】
一対のチェーンと、各チェーンに組み込まれそれぞれ係合部材を有するジョイントリンクと、前記ジョイントリンクの係合部材と係合されて前記チェーンの駆動に伴って移動する連結部材とを備えており、
前記各係合部材と前記連結部材の両端とに互いに螺合されるねじ部を形成したことを特徴とするチェーンコンベア。
【請求項４】
前記ジョイントリンクが組み込まれたチェーンは、環状に形成され、且つ、一方向に循環駆動されるよう構成されており、
前記係合部材が所定の位置に移動したときに前記チェーンの駆動を停止させる制御手段をさらに備えていることを特徴とする請求項３に記載のチェーンコンベア。
【発明の詳細な説明】
【技術分野】
【０００１】
本発明は、ジョイントリンクおよびチェーンコンベアに関し、さらに詳しくは、チェーンに組み込まれ、所定の部材と係合される係合部材を有するジョイントリンクと、このジョイントリンクを用いたチェーンコンベアに関するものである。
【背景技術】
【０００２】
チェーンに組み込まれ所定の部材を係合するための係合部材を有するジョイントリンクに関連する従来の技術として、一般に図８に示すように、所定の部材３’を係合するための係合部材としてアタッチメント１０’を有するジョイントリンク１’が知られている。そして、このようなジョイントリンク１’が組み込まれたチェーン２は、例えば、チェーンコンベアに用いられる。チェーンコンベアは一般に、一対のチェーン２，２と、各チェーン２に組み込まれそれぞれアタッチメント１０’を有するジョイントリンク１’と、ジョイントリンク１’のアタッチメント１０’と係合されてチェーン２の駆動に伴って移動する連結部材３’とを備えている。ここで、チェーンコンベアの連結部材３’は、ジョイントリンク１’のアタッチメント１０’に係合される上記所定の部材３’に相当する。
【０００３】
図８に示したジョイントリンク１’は、一対のリンクプレート１１’、１２’と、このリンクプレート１１’、１２’間の両端部に配設されてチェーン２を構成するローラリンクプレート２３’とそれぞれ接続されるピン１３’とを有しており、各リンクプレート１１’、１２’の長さ方向に対する一側縁（図８の（ａ）においては上下方向に対して右方）に、フランジ状のアタッチメント１０’がローラリンクプレート２３’とほぼ直角に延在すように形成されている。アタッチメント１０’には、図８の（ｂ）に示すように、チェーンコンベアの連結部材３’と締結するためのボルトなどを挿通する孔１０ａ’が形成されている。したがって、図８に示したジョイントリンク１’を用いる場合、チェーンコンベアの連結部材３’は、その端部近傍の側面がアタッチメント１０’とボルトなどにより締結されることとなる。
【０００４】
そして、このように構成されたジョイントリンク１’が組み込まれてチェーンコンベアを構成するチェーン２は、一般に環状に形成され、搬送物を積み込む位置から降ろす位置に移動させる方向と、搬送物を下ろした位置から積み込む位置に戻す方向との間で連結部材３’を往復させるよう、双方向に駆動制御される。
【０００５】
また、ジョイントリンクに関連する別の従来の技術として、特許文献１が知られている。特許文献１は、パネル駆動系スプロケットに噛合したチェーンで連結されて建物の出入り口や窓等を開閉するシャッタ用パネルの支持構造に関するもので、パネル取付箇所となるローラリンクプレートとピンリンクプレートとの被連結部は、その部分を貫通して各リンクピンと同一ピッチのリンクピンを兼ねたロングピンで連結して成り、ロングピンは、パネル取付軸部と、リンク連結軸部と、ローラ取付軸部とを同軸上に一体形成して構成され、リンク連結軸部がローラリンクプレートとピンリンクプレートとの被連結部に挿通され、且つ、上記パネル取付軸部がパネルの上部両端に開口形成されたロングピン支持用のブッシュに回転自在で且つスラスト方向へ移動自在に差し込み連結されていることなどが開示されている。さらに、特許文献１には、シャッタ用パネルを建物の出入り口や窓等に対して開閉させるために、上述した一般的な従来の技術と同様に、パネル駆動系スプロケットを正／逆回転起動する、即ち、双方向に駆動制御することが記載されている。
【先行技術文献】
【特許文献】
【０００６】
【特許文献１】実公平５−４４４７６号公報
【発明の概要】
【発明が解決しようとする課題】
【０００７】
しかしながら、上記従来の技術のうち、図８に示したジョイントリンク１’にあっては、例えばチェーンコンベアの連結部材など所定の部材３’の端部近傍の側面が締結されるアタッチメント１０’が、リンクプレート１１’、１２’間の両端部に配設されてチェーン２と接続されるピン１３’の中心軸線を結ぶ線（図８の（ａ）に示した鎖線Ｌ）から離れている。そのため、搬送物の荷重などの負荷がチェーンコンベアの連結部材３’にかかることにより、図８の（ａ）に矢印Ｍで示したようにモーメントとして働くこととなり、その結果、直線状に伸びるチェーン２が不用意に屈曲することとなり、片磨耗するなどチェーン２の耐久性が低下するなどの問題があった。
【０００８】
また、上記従来の技術のうち、特許文献１にあっては、ロングピンのパネル取付軸部がパネルの上部両端に開口形成されたロングピン支持用のブッシュに回転自在で且つスラスト方向へ移動自在に差し込み連結されているため、かかるシャッタ用パネルの支持構造をチェーンコンベアに用いた場合に、搬送物を載置する位置が異なり荷重バランスが変化する場合などに、ロングピンのパネル取付軸部がパネルのロングピン支持用のブッシュから抜け出て外れる可能性があるという問題があった。
【０００９】
そして、上記図８に示したジョイントリンク１’が組み込まれたチェーン２を用いてチェーンコンベアを構成する場合と特許文献１のいずれも、チェーンを駆動するスプロケットが双方向に制御されるものであるため、搬送物を積み込む位置と降ろす位置とに連結部材を正確に停止させるための制御が複雑であり、停止位置の誤差が大きいなどの問題があった。
【００１０】
本発明は、上述した問題に鑑みてなされたものであり、簡単な構成で、係合部材が外れることなく所定の部材と確実に係合されることができ、さらに、容易に構成することができるジョイントリンクを提供することを目的とする。
また、本発明は、上述した問題に鑑みてなされたものであり、簡単な構成で、係合部材と連結部材とが外れることなく確実に係合させることができ、さらに、搬送物を積み込む位置と降ろす位置とに連結部材を正確に且つ容易に停止させることができるチェーンコンベアを提供することを目的とする。
【課題を解決するための手段】
【００１１】
請求項１のジョイントリンクに係る発明は、上記目的を達成するため、チェーンに組み込まれ、所定の部材と係合される係合部材を有するジョイントリンクであって、前記係合部材は、前記所定の部材と螺合されるねじ部が形成されていることを特徴とする。
請求項２のジョイントリンクに係る発明は、上記目的を達成するため、請求項１に記載の発明において、少なくとも一対のリンクプレートと、該リンクプレート間の両端部に配設されて前記チェーンとそれぞれ接続されるピンとを有しており、前記係合部材は、前記リンクプレートの一方を超えるように、前記ピンを延長させることにより構成されていることを特徴とする。
また、請求項３のチェーンコンベアに係る発明は、上記目的を達成するため、一対のチェーンと、各チェーンに組み込まれそれぞれ係合部材を有するジョイントリンクと、前記ジョイントリンクの係合部材と係合されて前記チェーンの駆動に伴って移動する連結部材とを備えており、前記各係合部材と前記連結部材の両端とに互いに螺合されるねじ部を形成したことを特徴とする。
請求項４のチェーンコンベアに係る発明は、上記目的を達成するため、請求項３に記載の発明において、前記ジョイントリンクが組み込まれたチェーンは、環状に形成され、且つ、一方向に循環駆動されるよう構成されており、前記係合部材が所定の位置に移動したときに前記チェーンの駆動を停止させる制御手段をさらに備えていることを特徴とする。
【発明の効果】
【００１２】
請求項１の発明によれば、係合部材に所定の部材と互いに螺合されるねじ部が形成されているという簡単な構成で、チェーンに組み込まれるジョイントリンクに対して所定の部材を確実に係合することができ、また必要に応じて取り外すこともできる。
請求項２の発明によれば、請求項１の発明において、リンクプレートの一方を超えるようにピンを延長させることにより係合部材を構成するという簡単な構成で、ジョイントリンクを容易に構成することができる。
なお、請求項１および２の発明において、係合部材に雄ねじ部を形成する場合には所定の部材の端面に雌ねじ部を形成することができ、また、係合部材に雌ねじ部を形成する場合には所定の部材に雄ねじ部を形成することができる。
請求項３の発明によれば、各係合部材と連結部材の両端とに互いに螺合されるねじ部を形成したという簡単な構成で、一対のチェーンにそれぞれ組み込まれるジョイントリンクに対して連結部材の両端を確実に係合することができ、また必要に応じて取り外すこともできる。
請求項４の発明によれば、請求項３の発明において、ジョイントリンクが組み込まれたチェーンを環状に形成し、且つ、一方向に循環駆動させるよう構成して、制御手段によりジョイントリンクの係合部材が所定の位置に移動したときにチェーンの駆動を停止させることにより、搬送物をそのチェーンコンベアに積み込む位置と降ろす位置とに、連結部材を正確に且つ容易に停止させることができる。
【図面の簡単な説明】
【００１３】
【図１】本発明のジョイントリンクの実施の一形態を説明するためにチェーンに組み込まれた状態で示した側面図（ａ）と、正面図（ｂ）と、その断面図（ｃ）である。
【図２】本発明のチェーンコンベアを用いる設備全体を説明するために示した概略図である。
【図３】本発明のチェーンコンベアをエレベータ装置として使用する場合の実施の一形態を説明するために示した正面図である。
【図４】図３の要部の部分拡大図である。
【図５】図４の側面図である。
【図６】図４の平面図である。
【図７】本発明におけるジョイントリンクの別の実施の形態を示した拡大側面図である。
【図８】従来の一般的なアタッチメントを有するジョイントリンクを説明するためにチェーンに組み込まれた状態で示した側面図（ａ）と、正面図（ｂ）と、その断面図（ｃ）である。
【発明を実施するための形態】
【００１４】
最初に、本発明のジョイントリンク１の実施の一形態を図１に基づいて説明する。
本発明のジョイントリンク１は、概略、チェーン２に組み込まれ、所定の部材３と係合される係合部材１０を有するものであって、係合部材１０は、所定の部材３と螺合されるねじ部１０ａが形成されている。
さらに、本発明のジョイントリンク１は、少なくとも一対のリンクプレート１１、１２と、このリンクプレート１１、１２間の両端部に配設されてチェーン２とそれぞれ接続されるピン１３とを有しており、係合部材１０は、リンクプレート１１、１２の一方を超えるように、ピン１３を延長させることにより構成されている。
【００１５】
ジョイントリンク１が組み込まれるチェーン２は、複数のローラリンク２０と複数のピンリンク２１を交互に接合することにより構成されている。ローラリンク２０は、一対のローラリンクプレート２３と、ローラリンクプレート２３の両端部相互間を一体的に連結するブッシュと、ブッシュの外周に回転自在に遊嵌されたローラ２４とにより構成されている。ピンリンク２１は、一対のピンリンクプレート２５と、ピンリンクプレート２５の両端部に配置されるリンクピン２６とにより構成されている。ピンリンクプレート２５の端部は、ローラリンク２０のローラリンクプレート２３の端部の外側に重なるように配置され、リンクピン２６がローラリンク２０のブッシュ内に相対的に回動可能に挿通されている。リンクピン２６の端部は、ピンリンクプレート２５に対してカシメられることなどにより固定されている。このように構成されていることにより、チェーン２は、リンクピン２６を中心として、ローラリンク２０とピンリンク２１とが屈曲可能となっている。
【００１６】
ジョイントリンク１は、一対のリンクプレート１１、１２と、リンクプレート１１、１２の両端部とチェーン２のローラリンクプレート２３とを屈曲可能に接続するピン１３と、一方のリンクプレート１１に設けられる係合部材１０とを備えている。リンクプレート１０は、チェーン２のピンリンクプレート２５とほぼ同じ形状に成形されている。また、ジョイントリンク１の一方のピン１３Ａも、チェーン２のリンクピン２６と同様に構成されており、この一方のピン１３Ａが配置されるリンクプレート１１の一方の側の端部は、チェーン２の一方の端部におけるローラリンク２０のローラリンクプレート２３の端部の外側に重なるように配置され、一方のピン１３Ａがローラリンク２０のブッシュ内に相対的に回動可能に挿通されている。
【００１７】
一方、ジョイントリンク１の他方のピン１３Ｂは、この実施の形態においては、係合部材１０と同軸延長線上に一体成形されている。他方のピン１３Ｂの先端が一方のリンクプレート１１に挿通され、かかる一方のリンクプレート１１の外側表面に係合部材１０の基端部が当接した状態で、他方のピン１３Ｂの基端部（係合部材１０の基端部と連続する側の端部）が一方のリンクプレート１１に対してカシメられることなどにより固定されている。即ち、係合部材１０は、リンクプレート１１、１２の一方１１を超えるように、ピン１３Ｂを延長させて一体成形されている。また、この一方のリンクプレート１１に対して、一方のピン１３Ａの一方の端部も、カシメられることなどにより固定されている。
【００１８】
両ピン１３Ａ、１３Ｂの先端部は、他方のリンクプレート１２に挿通され、この実施の形態ではクリップ１４で係止されている。なお、クリップ１４に代えて、割りピンなどを用いることもできる。
【００１９】
図１に示した実施の形態では、係合部材１０の周面に雄ねじ１０ａが形成されており、所定の部材３の端面に孔３０が形成されており、孔３０の内周面に係合部材１０の雄ねじ１０ａと螺合可能な雌ねじ３０ａが形成されている。そして、図１に示した実施の形態では、係合部材１０に形成された雄ねじにロックナット１５が螺合されている。なお、本発明は、この実施の形態に限定されることはなく、所定の部材３の端部に雄ねじを形成すると共に、係合部材１０を適切な径に成形してその端面に孔を形成し、孔の内周面に所定の部材３の雄ねじが螺合可能な雌ねじを形成することもできる。
【００２０】
ジョイントリンク１は、単一のチェーン２の両端部に接続される、即ち、チェーン２が環状に構成されるよう構成することができる。しかしながら、本発明は、異なるチェーン２、２の間にジョイントリンク１が介在するよう、両チェーン２、２の端部をそれぞれジョイントリンク１の端部と接続して、全体で両端部を有する１本のチェーン２を構成する場合も含むことができる。また、本発明のジョイントリンク１は、環状に構成されたチェーン２の中に複数設けるよう構成する場合や、全体で両端部を有する１本のチェーン２の中に複数設けるよう構成する場合も含まれる。さらに、本発明のジョイントリンク１は、組み込まれるチェーン２が複数列で構成されている場合に、このチェーン２と対応した数のリンクプレート１１、１２、・・・で構成される。
【００２１】
さらにまた、本発明のジョイントリンク１の係合部材１０は、図７に示したように、両ピン１３Ａ、１３Ｂの中心軸線を結ぶ線上（図１および図７の鎖線Ｌを参照）の位置であれば、一方のピン１３Ａまたは１３Ｂと同軸延長線上に一体成形することに限定されることはなく、両ピン１３Ａ、１３Ｂの間に例えば溶接などによってリンクプレート１１または１２上に設けることもできる。
【００２２】
次に、本発明のチェーンコンベア５の実施の一形態を、図２〜図６に基づいて説明する。なお、本発明のチェーンコンベア５に用いるジョイントリンク１については、上述したジョイントリンク１と同様、または相当する部分について、同じ符号を付してその説明を省略することとする。
本発明のチェーンコンベア５は、概略、一対のチェーン２、２と、各チェーン２、２に組み込まれるジョイントリンク１と、各ジョイントリンク１に設けられた係合部材１０と係合されてチェーン２の駆動に伴って移動する連結部材３とを備えており、各係合部材１０、１０と連結部材３の両端とに互いに螺合されるねじ部１０ａ、３０ａが形成されている。
さらに、本発明のチェーンコンベア５は、ジョイントリンク１が組み込まれたチェーン２が環状に形成されており、且つ、一方向に循環駆動されるよう構成されており、係合部材１０（つまり、連結部材３が）が所定の位置に移動したときにチェーン２の駆動を停止させる制御手段をさらに備えている。
【００２３】
この実施の形態では、本発明のチェーンコンベア５として、図２に示すように、台車６０から移載されローラ台６１等によって搬入された搬送物Ｐを上昇移動させるエレベータ５Ａ、または、このエレベータ５Ａからローラ台６２等によって略水平方向に移動された搬送物Ｐを下降移動させるエレベータ５Ｂの場合により説明する。
【００２４】
エレベータ５は、フレーム５０と、フレーム５０により鉛直方向に保持されるガイドレール５１と、ガイドレール５１に沿って鉛直方向に昇降移動されるエレベータ台５２と、一対のチェーン２がそれぞれ掛けられる一対のスプロケット５３と、少なくとも一方のスプロケット５３を回転駆動する駆動手段５４とを備えており、チェーン２、２にそれぞれ組み込まれたジョイントリンク１、１に係合された連結部材３により、エレベータ台５２が支持されている。
【００２５】
上述したように構成されたジョイントリンク１は、チェーン２に組み込むと共に係合部材１０に連結部材３を係合させるに際に、最初に係合部材１０のねじ部１０ａを連結部材３のねじ部３０ａと螺合し、係合部材１０が設けられた側のリンクプレート１１に固定されたピン１３をチェーン２端部のローラリンク２０のブッシュに挿通して、ピン１３の先端を他方の側のリンクプレート１２に挿通し、クリップ１４などにより止めることができる。
【００２６】
エレベータ台５２は、搬送物Ｐが載置されるローラ台５２０と、このローラ台５２０により移動する搬送物Ｐの水平方向の位置を両側部からガイドするガイドローラ５２１と、ガイドレール５１に対して接するガイド車５２２を備えている。ローラ台５２０は、縦フレーム５２ａの中間部に、図４の右方から左方に向かって下がるように所定の角度で傾斜して設けられている。ガイドローラ５２１は、縦フレーム５２ａの上端に設けられている。縦フレーム５２ａの上方と下方には、図６に平面図で示すように、互いに９０度のなす角で支持軸５２３が設けられており、各支持軸５２３にそれぞれガイド車５２２が回転可能に支持されて、ガイドレール５１に対して転動するよう構成されている。図示は省略するが、エレベータ台５２には、傾斜したローラ台５２０に載置された搬送物Ｐが任意のタイミングで移動するのを許容するストッパを設けることができる。
【００２７】
連結部材３の、エレベータ台５２の下面の横フレーム５２ｂと対応する位置には、ローラ３１が設けられている。
【００２８】
駆動手段５４は、一方向に回転する電動モータにより構成されている。そのため、スプロケット５３、５３間に掛けられたチェーン２は、図３に示すように一方向のみに循環駆動される。そして、制御手段は、図３に二点鎖線で示したように、ジョイントリンク１の係合部材１０と係合された連結部材３が上死点と下死点に位置したとき、即ち、エレベータ台５２が最上位置と最下位置に移動したときに、モータ５４の駆動を停止させるよう構成されている。この制御手段は、具体的にはリミットスイッチなどにより構成することができる。
【００２９】
図２に示したエレベータ５Ａは、エレベータ台５２の最下位置（搬送物Ｐを積み込む位置）が、台車６０から移載されローラ台６１の傾斜によって移動する搬送物Ｐが、ローラ台５２０に図４の右方から移載されるような高さに設定され、またエレベータ台５２の最上位置（搬送物Ｐを降ろす位置）が、ローラ台５２０から搬送物Ｐが傾斜したローラ台６２に移載されるような高さに設定されている。また、図２に示したエレベータ５Ｂは、エレベータ台５２の最上位置（搬送物Ｐを積み込む位置）が、傾斜したローラ台６２からエレベータ台５２のローラ台５２０に移載されるような高さに設定され、またエレベータ台５２の最下位置（搬送物Ｐを降ろす位置）が、エレベータ台５２のローラ台５２０から搬送物Ｐが傾斜したローラ台６３に移載されるような高さに設定されている。これら両エレベータ５Ａ、５Ｂの各エレベータ台５２の最下位置と最上位置の高さは、スプロケット５３の位置によって容易に設定することがでる。そして、このスプロケット５３の位置の変動により、チェーン２の長さを調整することができる。
【００３０】
なお、搬送物Ｐの重量やモータ５４の駆動能力などによって、エレベータ台５２と搬送物Ｐの重量を相殺するためのカウンタウエイトを設けることもできる。
【００３１】
次に、以上のように構成されたチェーンコンベア５の作動を、エレベータ５Ａの場合により説明する。最初に、搬送物Ｐを積み込む状態では、ジョイントリンク１が組み込まれスプロケット５３、５３に掛けられた環状のチェーン２は、連結部材１０が最下位置で停止されている。そして、エレベータ台５２に搬送物Ｐが移載されると、モータ５４が回転制御され、スプロケット５３によりチェーン２が循環駆動される。これにより、チェーン２に組み込まれたジョイントリンク１の係合部材１０と螺合された連結部材３は、横フレーム５２ｂが支持されたエレベータ台５２を上昇させる。そして、連結部材３の上昇移動によりエレベータ台５２が最上位置に達すると、リミットスイッチによりモータ５４の駆動が停止される。搬送物Ｐは、ストッパの解除によりその自重で傾斜したローラ台５２を移動し、エレベータ台５２から降ろされてエレベータ５Ｂとの間に掛け渡されたローラ台６２へと移動する。搬送物Ｐがエレベータ台５２から降ろされると、再びモータ５４が回転制御され、スプロケット５３によりチェーン２が循環駆動される。このとき、図４に鎖線で示したように、連結部材３は、スプロケット５３の径だけエレベータ台５２の横フレーム５２ｂに対して移動することとなる。この移動は、連結部材３に設けられたローラ３１が横フレーム５２ｂの下面を転動することによりスムーズに行われる。そして、エレベータ台５２が下降され、最下位置に達すると、リミットスイッチによりモータ５４の駆動が停止されて、次の搬送物Ｐを積み込む準備が完了する。
【００３２】
本発明のチェーンコンベア５をエレベータとして用いる場合には、連結部材３がエレベータ台５２を支持することから、ジョイントリンク１が単一でチェーン２に組み込まれる。しかしながら、本発明のチェーンコンベア５は、搬送物Ｐを昇降移動させるためのエレベータに限定されることはなく、昇降移動以外の、例えば水平方向に搬送物Ｐを搬送するよう構成する場合も含むことができる。この場合には、連結部材３によって搬送物Ｐを移動方向後方から押して、または移動方向前方から引っ張るようにして移動させることとなる。この場合においては、複数のジョイントリンク１をチェーン２に組み込み、各ジョイントリンク１の係合部材１０に連結部材３をそれぞれ螺合することができる。
【産業上の利用可能性】
【００３３】
本発明のジョイントリンク１は、係合部材１０が所定の部材（チェーンコンベアに用いられる場合には連結部材）３のねじ部３０ａと螺合されるねじ部１０ａを形成されているため、係合部材１０と所定の部材３とが不用意に抜け外れることを確実に防止することができる。本発明のジョイントリンク１は、上述したチェーンコンベア５以外にも用いることができる。
【符号の説明】
【００３４】
１：ジョイントリンク、  ２：チェーン、  ３：所定の部材または連結部材、  ５：エレベータ（チェーンコンベア）  １０：係合部材、  １０ａ：ねじ部、  ３０ａ：ねじ部、  １１、１２：リンクプレート、  １３：ピン
【図１】
2015059007.tif 000003
【図２】
2015059007.tif 000004
【図３】
2015059007.tif 000005
【図４】
2015059007.tif 000006
【図５】
2015059007.tif 000007
【図６】
2015059007.tif 000008
【図７】
2015059007.tif 000009
【図８】
2015059007.tif 000010